(57)【要約】【課題】  分解能に優れており全地層にわたって構成元素の種類や含有量を確実に且つ微量の元素や多数の元素が混在していても測定することを可能とし、安全で操作性に優れたな検層方法及び装置を提供する。【解決手段】  地中１に穿孔したボーリング孔２内においてパルス状中性子を中性子発生器９により発生させてボーリング孔２から地層に中性子を照射し、地層において核反応により発生した各元素から放射されるガンマ線のエネルギースペクトルにおけるエネルギー分布と強度をゲルマニウム検出器１１により測定することによりボーリング孔２周壁地層に含まれる元素の種類と含有量とを測定する。【選択図】        図１
2006300555.tif 000002
【特許請求の範囲】
【請求項１】
地中に穿孔したボーリング孔内においてパルス状中性子を中性子発生器により発生させてボーリング孔から地層に中性子を照射し、地層において核反応により発生した各元素から放射されるガンマ線のエネルギースペクトルにおけるエネルギー分布と強度をゲルマニウム検出器により測定することによりボーリング孔周壁地層に含まれる元素の種類と量とを測定することを特徴とする全地層検層方法。
【請求項２】
地中に穿孔したボーリング孔の所定位置に挿入配置されるプローブ内に、少なくとも中性子発生器、遮蔽材、ゲルマニウム検出器、電気式冷却器を先端から基端にわたって順に収納したことを特徴とする全地層検層装置。
【請求項３】
前記電気式冷却器がスターリング式冷却器である請求項２記載の全地層検層装置。
【請求項４】
前記中性子発生器に円筒状の減速材を着脱自在に被着させた請求項２または３記載の全地層検層装置。
【発明の詳細な説明】
【技術分野】
【０００１】
本発明は、検層、即ち、地中に穿孔したボーリング孔内において、測定用のプローブ（ゾンデ）をケーブルにより昇降させて、物理的，化学的諸量を利用することにより間接的或いは直接的に地質状況や坑井性状などを解明するために行う測定に用いる方法及び装置に関するものであり、特に、全地層にわたって構成元素の種類や含有量を測定することが可能な検層方法及び装置に関するものである。
【背景技術】
【０００２】
近年、環境保全を目的とした地中に存在する微量な有害元素の分布状況や、地球科学調査において、地球の深部を構成する物質や金属・エネルギー資源の解明などが求められており、例えば、特開平１０−２２７８６８号公報、特表平１１−５１１８４５号公報などに地表下の密度や多孔度を測定するもの等が提示されている。
【０００３】
また、図４に示すように、地中１に穿孔したボーリング孔２内において、測定用のプローブ３をケーブル４により昇降させて、地中１内に孔したボーリング孔２内において中性子を照射し、核反応により発生したガンマ線のエネルギースペクトルを測定することで地層内の特定元素の有無や含有量などを分析する方法（中性子・ガンマ線検層）が知られている。
【０００４】
この中性子・ガンマ線検層は、元素に中性子を照射したときに生じる中性子捕獲反応及び中性子非弾性散乱反応により瞬間的に放出される元素毎に特有のエネルギーを有している即発ガンマ線を測定することにより元素を特定し、また、その際のガンマ線の強度から元素の含有量を測定するものである。
【０００５】
図５は従来の中性子・ガンマ線検層に用いられている検層装置を示すものであり、測定用のプローブ３の先端から基端にわたって中性子発生源５、遮蔽材６、ガンマ線検出器７、各種の電子回路８が順に収容したもので、基端に設けたケーブル４により、前記図４に示したように一定の速度で地中１内に穿孔したボーリング孔２内を降下させ、所望のサンプリング間隔で中性子発生源５からの中性子により生じたガンマ線エネルギーに応じたパルスをガンマ線検出器７により測定し、これを適宜のデータ処理回路及びアルゴリズムを使用して分析結果を得るものである。
【０００６】
ところが、前記従来の中性子・ガンマ線検層装置に用いられている中性子発生源５は、１３７Ｃｓ、２５２Ｃｆ、Ａｍ−Ｂｅ等の同位体源などの中性子線源が必要であり、このような放射線源は、穿孔内において操作することから搬送および格納期間を含め管理上の問題があったり、特に、測定時には必然的な被爆という問題もあり、特に大きなエネルギー（多くの中性子）を必要とする測定に用いる場合には重要である。更に、このような放射線発生源は放射線を連続的に且つ等方位に放出するので計時的な使用や集束的な使用をするための困難性がある。
【０００７】
また、前記従来の中性子・ガンマ線検層装置に用いられているガンマ線検出器７は、例えば電気信号をパルスに変換する典型的にはＮａＩやＢＧＯ（Ｂｉ14Ｇｅ3Ｏ12）等のシンチレーションカウンターが用いられていたが、地中に穿孔した口径が１０ｃｍ程度と限られた測定空間であるボーリング孔内において前記シンチレーションカウンターと前記放射線源からの中性子とを用いた組み合わせでは分解能が低く、微量な元素や中性子励起即発ガンマ線反応が顕著でない元素の検出は困難で、特に、多くの元素が混在する場合には中性子により生じたガンマ線エネルギー値が近接している元素同士の測定値が重なり合うことから同定はできない。
【０００８】
そのため、資源調査と異なり、土壌汚染物質の分析や石炭に含まれる微量元素など環境影響物質のような例えばｐｐｍ単位の含有量を要する地殻構成物質調査などの測定には向かない。
【０００９】
そこで、分解能を上げるための１つの手段として、即発ガンマ線を検出するガンマ線検出器として、ゲルマニウム検出器によるガンマー線の検出手段が特開平８−２９２２６９号公報、特開平９−１０１３７１号公報などに提示されているが、ゲルマニウム検出器においては熱によって誘起される漏れ伝量を低減する目的でゲルマニウム結晶を冷却する必要があり、その冷却手段として一般的に液体窒素が用いられており検層装置に利用することは不可能といってもよい。
【特許文献１】特開平１０−２２７８６８号公報
【特許文献２】特表平１１−５１１８４５号公報
【特許文献３】特開２００４−１７８２５８号公報
【特許文献４】特開平８−２９２２６９号公報
【特許文献５】特開平９−１０１３７１号公報公報
【発明の開示】
【発明が解決しようとする課題】
【００１０】
本発明は前記の実情に鑑みてなされたものであり、分解能に優れており全地層にわたって構成元素の種類や含有量を確実に且つ微量の元素や多数の元素が混在していても測定することが可能であるばかりか、安全で操作性に優れたな検層方法及び装置を提供するものである。
【課題を解決するための手段】
【００１１】
前記課題を解決するために、本発明である全地層検層方法は、地中に穿孔したボーリング孔内においてパルス状中性子を中性子発生器により発生させてボーリング孔から地層に中性子を照射し、地層において核反応により発生した各元素から放射されるガンマ線のエネルギースペクトルにおけるエネルギー分布と強度をゲルマニウム検出器により測定することによりボーリング孔周壁地層に含まれる元素の種類と量とを測定することを特徴とする。
【００１２】
また、本発明である全地層検層装置は、地中に穿孔したボーリング孔の所定位置に挿入配置されるプローブ内に、少なくとも中性子発生器、遮蔽材、ゲルマニウム検出器、電気式冷却器を先端から基端にわたって順に収納したことを特徴とする。
【００１３】
更に、前記全地層検層装置において、電気式冷却器がスターリング式冷却器である場合や、前記中性子発生器に円筒形の減速材を着脱自在に被着させた場合は好ましい。
【発明の効果】
【００１４】
本発明によると、中性子発生器により発生させたパルス状中性子を地表下に照射して発生するガンマ線のエネルギースペクトルにおけるエネルギー分布と強度をゲルマニウム検出器により測定することにしたこととにより、きわめて分解能のよい測定結果が得られることから、微量な元素や中性子励起即発ガンマ線反応が顕著でない元素の検出も可能となり、測定精度を要求される地殻構成物質調査などの測定もできる。
【００１５】
また、照射する中性子を発生させる手段として放射線源に代わって大きなエネルギーを商社可能な中性子発生器を用いたこととにより微量な元素や中性子励起即発ガンマ線反応が顕著でない元素の検出も可能であることは勿論のこと、と取り扱い上も安全で紛失などの心配をする必要がなく、必要なときに必要な量の中性子を必要な箇所へ照射させることが可能となった。
【００１６】
加えて、地層において核反応により発生した各元素から放射されるガンマ線のエネルギースペクトルにおけるエネルギー分布と強度とを測定するゲルマニウム検出器を電気式冷却器、特に、スターリング式冷却器を用いることにより、小型化と液体窒素の場合のような困難性や煩わしさを解消した。
【００１７】
更に、中性子発生装置の基端側に反射部材を配置することにより、中性子発生装置で発生させたパルス中性子を効率よく地層に入射させて効率並びに精度に優れた分析を可能にしている。
【００１８】
更にまた、中性子発生器の基端側にゲルマニウム検出器を配置したことにより、中性子発生装置から生じる雑音等により検出妨害を生じる心配もない。
【発明を実施するための最良の形態】
【００１９】
次に、図面を参照して本発明の実施の形態を説明する。
【００２０】
図１は本発明に用いられる検層装置及びその概略を示すものであり、測定用のプローブ３の先端から基端にわたって、中性子発生器９、中性子発生器用電子回路１０、遮蔽材６、ゲルマニウム検出器１１、電気式冷却器１３およびデジタル通信ユニット１４の順に収容されており、基端にケーブル４が接続されている。
【００２１】
また、必要な場合には、中性子発生器９に例えばアクリル樹脂製で円筒形の減速材を着脱自在に被着させることにより（図示せず）、高速中性子を低速中性子に減速させることが可能であり、このように照射させる中性子の性質を変化させて各種の測定をすることもできる。
【００２２】
そして、中性子発生器９は、中性子をパルス状に発生させることができるものが好ましく、例えば、中性子発生管にプラズマ状態の重水素（Ｄ）イオンの加速によるＤ−Ｄ或いはＤ−Ｔの核融合反応により中性子を発生させるタイプのものがを使用することが可能である（Ｄ−Ｔ反応で１４Ｍｅｖ、Ｄ−Ｄ反応で２〜４Ｍｅｖ）。中性子発生器９は中性子発生器用電子回路１０により中性子出力、パルス周期、パルス幅などを適宜調節して所望の値に制御して使用する。特に、中性子をパルス状に発生させることにより、高速中性子による非弾性散乱から熱中性子による中性子捕獲反応まで様々なエネルギーレベルの中性子を効率よく測定することができる。
【００２３】
遮蔽材６は中性子発生器９により発生させた中性子が直接、ゲルマニウム検出器１１に作用して測定に影響を与えるのを防止するものであり、従来のものと同様に、ポリエチレン樹脂やＰｂ（鉛）層により形成される。
【００２４】
更に、ゲルマニウム検出器１１は、ｎ＋の厚いリチウムコンタクトが結晶の外側表面に付けられたＰ型とｐ＋の薄いイオン注入型コンタクトが結晶の外側表面に付けられたＮ型とがあり、更に片側を閉じた他円柱形の「同軸型」とディスすク形の「プレナ型」とがあり、何れも使用可能ですが、特に、例えばＰ型の 「同軸型」  にあっては分解能に優れているので本発明に向いているものと考えられる。尚、特開平９−１０１３７１号に記載されているように分割型のゲルマニウム検出器などガンマ線に対するエネルギー分解能が高いものを使用すると更に好ましい。
【００２５】
また、ゲルマニウム検出器１１を冷却するための電気式冷却器１３は。小型のスターリング冷凍機１３１と熱交換機１３２とから構成されるスターリング式冷却器を用いることにより、少ないスペースで効率よくゲルマニウム検出器１１を冷却することができる。尚、スターリング式冷却器の具体的な手段については、特開平８−０２８９８１号公報、特開２００２−３１５２８５号公報、特開２００３−３６５７６７号公報などに記載されている。特に、スターリング式冷却器の採用は、小型で効率がよく、取り扱いが容易であるだけでなく、通常の電気式冷却器において振動雑音により発生するマイクロフォニック雑音が放射線検出器のエネルギー分解能の劣化の原因となるのに対して、発生するマイクロフォニック雑音の周波数が低いので放射線検出器のエネルギー分解能に影響がない等の利点も有している。
【００２６】
以上の構成を有する本実施の形態は図２および前記図４に示した従来例の場合と同様に、地中１に穿孔したボーリング孔２内において、測定用のプローブ３をケーブル４により昇降させて、地中１内に穿孔したボーリング孔２内において中性子発生器９により中性子を照射し、地中で元素に衝って中性子捕獲反応により発生した元素特有のガンマ線のエネルギースペクトルをゲルマニウム検出器１１により検出し、これをゲルマニウム検出器用電子回路（図示せず）において適宜のデータ処理回路及びアルゴリズムを使用して元素の種類と含有量を測定するものである。
【００２７】
図３に示す測定曲線Ａは本実施の形態を用いて実際に測定した際の測定値を示すものであり、前記図５に示した従来の検層装置を用いて同様に測定した測定曲線Ｂが、元素特有のガンマ線のエネルギースペクトルが近似している元素についてはそれらが重なって１つの大きな山形を呈しているのに対して、それぞれ核元素毎に明確に区別して現れ、即ち、きわめて高い分解能を示し、同定は勿論のこと核元素毎の測定量も明確であり、含有良も明確に測定することが可能なことが実証された。
【００２８】
尚、本実施の形態は本発明の一例を示すものであり、これらの具体的な構成に限るものでないことは言うまでもない。
【図面の簡単な説明】
【００２９】
【図１】本発明の好ましい実施の形態を示す一部を切截した側面図。
【図２】図１に示した実施の形態の使用状態の概略図。
【図３】図１に示した実施の形態による測定結果を比較例とともに示した測定図。
【図４】従来例を示す概略図。
【図５】従来例および図１に示した実施の形態についての使用状態を示す説明図。
【符号の説明】
【００３０】
１  地中、  ２  ボーリング孔、  ３  プローブ、  ４  ケーブル、  ６  遮蔽材、  ９  中性子発生器、  １１  ゲルマニウム検出器、  １３  電気式冷却器
【図１】
2006300555.tif 000003
【図２】
2006300555.tif 000004
【図３】
2006300555.tif 000005
【図４】
2006300555.tif 000006
【図５】
2006300555.tif 000007